(57)【要約】【課題】揮散量の調整可能な揮散器を提案する。【解決手段】芳香剤等の内容物を充填する容器に装着され、該容器内の内容物を吸い上げて揮散させる揮散器において、天面に開口（１ａ）を有すると共に前記容器に着脱自在に係止するケース本体（１）と、このケース本体（１）の内部に設置され容器内の内容物を揮散させる揮散体と、前記ケース本体（１）に合わさって天面の開口（１ａ）を開閉する蓋体（２）とを備え、前記蓋体（２）の対向位置に、それぞれケース本体（１）の胴体側壁を両側から挟み込み該蓋体（２）を脱落不能に支える弾性支持アーム（３）を設ける。【選択図】図１
2005130923.tif 000002
【特許請求の範囲】
【請求項１】
芳香剤等の内容物を充填する容器に装着され、該容器内の内容物を吸い上げて揮散させる揮散器であって、
天面に開口を有すると共に前記容器に着脱自在に係止するケース本体と、このケース本体の内部に設置され容器内の内容物を揮散させる揮散体と、前記ケース本体に合わさって天面の開口を開閉する蓋体とを備え、
前記蓋体の対向位置に、それぞれケース本体の胴体側壁を両側から挟み込み該蓋体を脱落不能に支える弾性支持アームを設けたことを特徴とする揮散器。
【請求項２】
弾性支持アームは、その下端にケース本体の胴体側壁に係合して位置決めする係合爪を有し、その上端に互いに近接する向きへの相互押圧による弾性変位にて係合爪による係合を解除して上下へのスライドを可能とする押圧片を有する請求項１記載の揮散器。
【請求項３】
前記ケース本体は、弾性支持アームのスライドを誘導する溝部と、この溝部の溝底で胴体側壁の長手方向に沿い間隔を開けて設けられ係合爪に適合して蓋体を任意の位置に保持する複数の凹部又は開孔を有する請求項１又は２記載の揮散器。
【請求項４】
芳香剤等の内容物を充填する容器に装着され、該容器内の内容物を吸い上げて揮散させる揮散器であって、
天面に開口を有すると共に前記容器に着脱自在に係止するケース本体と、このケース本体の内部に設置され容器内の内容物を揮散させる揮散体と、前記ケース本体に合わさって天面の開口を開閉する蓋体とを備え、
前記蓋体に、その裏側に収納保持されるベースを設け、このベースに、対向位置にて一体成形され上端部のみを蓋体の外表面に露出させる弾性支持アームを配設してなり、
前記弾性アームは、ケース本体の胴体側壁を両側から挟み込んで該蓋体を脱落不能に支えるとともに、上端部の相互押圧による弾性変位によって挟み込みを解除して上下へのスライドを可能とする先端部を有することを特徴とする揮散器。
【請求項５】
前記弾性アームはその先端部に係合爪を有する請求項４に記載の揮散器。
【請求項６】
前記ケース本体は、弾性支持アームのスライドを誘導する溝部と、この溝部の溝底で胴体側壁の長手方向に沿い間隔を開けて設けられ弾性アームの係合爪に適合して蓋体を任意の位置に保持する複数の凹部又は開孔を設けた請求項４記載の揮散器。
【請求項７】
ケース本体及び蓋体の少なくとも一方には、揮散器の内外に通じ揮散にかかわる内容物を通過させる複数のスリットを有する請求項１〜６の何れかに記載の揮散器。
【発明の詳細な説明】
【技術分野】
【０００１】
本発明は、芳香剤等の内容物を揮散させるのに用いて好適な揮散器に関するものである。
【背景技術】
【０００２】
芳香剤等の内容物を揮散させるのに使用される揮散器は、従来、内容物を収容した容器に着脱可能に固定保持するカバー体と、このカバー本体内に配置される揮散板（紙あるいはフェルト製等）と、容器内の内容物を吸い上げるとともに拡散板に染み込ませて揮散させる吸液芯にて構成されていた（例えば特許文献１参照）。
【０００３】
【特許文献１】特開２００１−２６１０８０号公報
【発明の開示】
【発明が解決しようとする課題】
【０００４】
ところで、上記のような従来の揮散器は、カバー体の壁面に設けられたスリットのみを通して内容物を揮散させるのが普通であり内容物の揮散度合いはほぼ一定であって、揮散量の調節を行うことは不可能であった。
【０００５】
本発明の課題は、従来設けられているスリットの他に、ケース本体にかぶさる蓋体との相互間隔を適宜調整して内容物の揮散度合いを調整できる新規な揮散器を提案するところにある。
【課題を解決するための手段】
【０００６】
本発明は、芳香剤等の内容物を充填する容器に装着され、該容器内の内容物を吸い上げて揮散させる揮散器であって、
天面に開口を有すると共に前記容器に着脱自在に係止するケース本体と、このケース本体の内部に設置され容器内の内容物を揮散させる揮散体と、前記ケース本体に合わさって天面の開口を開閉する蓋体とを備え、
前記蓋体の対向位置に、それぞれケース本体の胴体側壁を両側から挟み込み該蓋体を脱落不能に支える弾性支持アームを設けたことを特徴とする揮散器である。
【０００７】
上記の構成になる揮散器において、弾性支持アームは、その下端にケース本体の胴体側壁に係合して位置決めする係合爪を有し、その上端に互いに近接する向きへの相互押圧による弾性変位にて係合爪による係合を解除して上下へのスライドを可能とする押圧片を有するものが好ましい。
【０００８】
また、前記ケース本体は、弾性支持アームのスライドを誘導する溝部と、この溝部の溝底で胴体側壁の長手方向に沿い間隔を開けて設けられ係合爪に適合して蓋体を任意の位置に保持する複数の凹部又は開孔を設けることができる。
【０００９】
また、本発明は、芳香剤等の内容物を充填する容器に装着され、該容器内の内容物を吸い上げて揮散させる揮散器であって、
天面に開口を有すると共に前記容器に着脱自在に係止するケース本体と、このケース本体の内部に設置され容器内の内容物を揮散させる揮散体と、前記ケース本体に合わさって天面の開口を開閉する蓋体とを備え、
前記蓋体に、その裏側に収納保持されるベースを設け、このベースに、対向位置にて一体成形され上端部のみを蓋体の外表面に露出させる弾性支持アームを配設してなり、
前記弾性アームは、ケース本体の胴体側壁を両側から挟み込んで該蓋体を脱落不能に支えるとともに、上端部の相互押圧による弾性変位によって挟み込みを解除して上下へのスライドを可能とする先端部を有することを特徴とする揮散器であり、前記弾性アームはその先端部に係合爪を設けることができ、前記ケース本体は、弾性支持アームのスライドを誘導する溝部と、この溝部の溝底で胴体側壁の長手方向に沿い間隔を開けて設けられ弾性アームの係合爪に適合して蓋体を任意の位置に保持する複数の凹部又は開孔を設けることができる。
【００１０】
ケース本体及び蓋体の少なくとも一方には、揮散器の内外に通じ揮散にかかわる内容物を通過させる複数のスリットを設けるのが望ましい。
【発明の効果】
【００１１】
蓋体とケース本体の天面の開口の相互間隔を任意に変更できるので、内容物の揮散量の調整が可能となる。
【発明を実施するための最良の形態】
【００１２】
以下図面を用いて本発明をより具体的に説明する。
図１は本発明に従う揮散器の実施の形態を示したものである。
【００１３】
図における１は容器の肩部にアンダーカットやねじ止め等の係合手段によって着脱自在に係止することができるケース本体である。このケース本体１は天面に開口１ａを有しており、その開口１ａを通して内部に揮散体（図示せず）を配置する。
【００１４】
また、２はケース本体１に合わさって天面の開口１ａを開閉する蓋体である。
蓋体２は側壁の対向位置にケース本体１の胴体側壁を弾性力により両側から挟み込んで該蓋体２を脱落不能に支える弾性支持アーム３を一体的に備えている。
【００１５】
弾性支持アーム３はその下端に位置決めのための係合爪３ａが設けられており、その上端には相互近接の押圧による弾性変位にて係合爪３ａを互いに離隔させる押圧片３ｂを備える。
【００１６】
また、４はケース１の胴体側壁に設けられた縦長の溝部であり、この溝部４に沿って弾性支持アーム３をスライドさせることができるようになっている。さらに、５はこの溝部４の溝底で間隔を開けて設けられ弾性支持アーム３の係合爪３ａに適合することができる凹部（又は開孔）、６はケース本体１及び蓋体２の内外に通じる通路を形成して揮散に係わる内容物を通過させるスリットである。
【００１７】
図２は蓋体２がケース本体１の天面の開口１ａに完全に合わさって閉じた状態であり、この場合、揮散にかかわる内容物はスリット６のみを通過することになり、内容物の揮散量は最も小さくなる。弾性支持アーム３の係合爪３ａは溝部４の最も下側の凹部５に係合して脱落不能に支えられており、蓋体２にそれをケース本体１から引き離すような力が付加されても、蓋体２がケース本体１から離反することはない。
【００１８】
押圧片３ｂに相互接近させるべく矢印のような力を加えると（図２参照）、弾性支持アーム３は固定部３ｃを支点として弾性変位（てこの原理）して係合爪３の凹部５における係合が解除され、この状態のままで溝部４に沿い弾性支持アーム３をスライドさせるべく蓋体２を引き上げ、予定の凹部５に達したところで押圧片３ｂに加えた力を取り除くことにより該弾性支持アーム３の復元にて係合爪３ａは凹部５に係合することになり、該蓋体２は再び脱落不能に支えられることになる。
【００１９】
図３は蓋体２を引き上げた状態を示すものであるが、蓋体２とケース本体１との間の間隔Ｌが大きくなると、内容物の揮散面積が拡大されることになり、蓋体２を最も上に上昇させた場合に、内容物の揮散量が最大となる。
【００２０】
図４は本発明に従う揮散器の他の実施の形態を示した図であり、図５は図４の分解状態を示した外観斜視図である。
【００２１】
この例は、蓋体２の裏側に収納保持することができるリング状のベース７を設け、このベース７の対向位置に上端部のみを蓋体２の開口２ａを通して外表面に露出させる弾性支持アーム８を一体成形によって配設したものである。
【００２２】
この弾性支持アーム８は上端部が押圧片８ａとなっており、その下端にはケース本体１の胴体側壁に設けられた凹部５に係合する係合爪８ｂを有していて、上掲図１のものと同様に、係合爪８ｂが凹部５に係合している状態では、蓋体２は脱落不能に支えられており、その係合が解除された状態では、上下へのスライドが可能なので蓋体２とケース本体１との間隔Ｌを簡単に変更することができる。
【００２３】
とくに上記のような蓋体２と別体になる弾性支持アーム８を組み込んだ場合、構成部材の個数が増えるけれども、押圧片８ａに付加する力が比較的小さくても該アーム８を容易に弾性変位させることが可能で、蓋体２の引き上げ、押し下げ、すなわち、揮散量の調整をスムーズに行うことができる利点がある。
【００２４】
溝部４の溝底に設けられる凹部５は、その内外を貫く開孔であってもよく、開孔と凹部とを組み合わせた配列することもできこの点は限定されない。また、凹部５のうち、最も下側に位置するものを深い凹部（又は開孔）とすることで、ケース本体１の密閉状態で蓋体２をケース本体１にしっかりと固定でき、それよりも上方に位置する凹部をやや浅い凹部とすることで、押圧片３ｂ、８ａに力を付加することなしに係合爪３ａ、８ｂの係合と解除を交互に行わせながら弾性支持アーム３、８を溝部４に沿ってスライドさせることが可能となり、揮散量の調整の簡便化を図ることができる。
【００２５】
揮散にかかわる内容物を通過させるものとしてケース本体１、蓋体２にスリット６を設ける場合について説明したが、これは、模様を形成する複数の開孔であってもよく、この点については限定されない。また、特に図示はしないが蓋体２をケース本体１の側壁を覆うようその側壁をさらに下方に延出する構成とすることも可能である。さらには、容器、容器とケース本体１との係合位置も前述の容器肩部に限定されるものではなく、容器のネック部（例えばネックリング）で係合しても良く、その位置は容器構成に合わせ適宜変更可能である。
【００２６】
図６は本発明に従う揮散器を装着するのに適した容器を模式的に示したものであり、キャップ９を取り外したのちケース本体１の下端部を容器の肩部に設けた溝部１０に係合させて固定保持し、吸い上げ芯１１を介して揮散体に内容物を吸い上げる。
【産業上の利用可能性】
【００２７】
内容物の揮散量を簡単な操作でもって適宜調整できる使い勝手の良い揮散器を提供できる。
【図面の簡単な説明】
【００２８】
【図１】本発明に従う揮散器の実施の形態を示した図である。
【図２】図１に示した揮散器の密閉状態における外観斜視図である。
【図３】図１に示した揮散器につき、蓋体を引き上げた状態を示した外観斜視図である。
【図４】本発明に従う揮散器の他の実施の形態を示した図である。
【図５】図４に示した揮散器の分解状態を示した外観斜視図である。
【図６】揮散器の取り付けに適した容器を模式的に示した図である。
【符号の説明】
【００２９】
１  ケース本体
１ａ  開口
２  蓋体
２ａ  開孔
３  弾性支持アーム
３ａ  係合爪
３ｂ  押圧片
３ｃ  固定部
４  溝部
５  凹部（又は開孔）
６  スリット
７  リング状のベース
８  弾性支持アーム
８ａ  押圧片
８ｂ  係合爪
９  キャップ
１０  溝部
１１  吸い上げ芯
Ｌ  間隔
【図１】
2005130923.tif 000003
【図２】
2005130923.tif 000004
【図３】
2005130923.tif 000005
【図４】
2005130923.tif 000006
【図５】
2005130923.tif 000007
【図６】
2005130923.tif 000008